(57)【要約】【課題】払出式遊技機を安価に封入式遊技機に転用可能にする。【解決手段】遊技領域に向かって遊技球を発射する発射装置２１と、遊技領域に設けられた入賞口に入賞しなかった遊技球を回収するアウト口と、払出口１８ａ，１８ｂが開口して形成され、払出口１８ａ，１８ｂから払い出された遊技球が貯留される上皿４ａとを備え、発射装置２１から遊技領域に至る打込通路と下皿５ａとを連通し、発射装置２１により発射されたが遊技領域に進入できなかった遊技球を下皿５ａに払い出すファール球払出通路部と、アウト口と上皿４ａとを連通し、アウト口に回収された遊技球および発射装置２１により発射されたが遊技領域に進入できなかった遊技球を上皿４ａへ払い出すアウト球払出通路部４０とが、着脱可能且つ相互に交換可能に設けられている。【選択図】        図６
2006230921.tif 000002
【特許請求の範囲】
【請求項１】
遊技領域に向かって遊技球を発射する発射装置と、
前記遊技領域に設けられた入賞口に入賞しなかった遊技球を回収するアウト口と、
払出口が開口して形成され、前記払出口から払い出された遊技球が貯留される上皿とを備えた遊技機であって、
前記発射装置から前記遊技領域に至る打込通路と下皿とを連通し、前記発射装置により発射されたが前記遊技領域に進入できなかった遊技球を前記下皿に払い出すファール球払出通路部と、前記アウト口と前記上皿とを連通し、前記アウト口に回収された遊技球を前記上皿へ払い出すアウト球払出通路部とが、着脱可能且つ相互に交換可能に設けられている、
ことを有することを特徴とする遊技機。
【請求項２】
前記アウト球払出通路部は、さらに前記打込通路と前記上皿とを連通し、前記発射装置により発射されたが前記遊技領域に進入できなかった遊技球をも前記上皿へ払い出すことを特徴とする請求項１記載の遊技機。
【請求項３】
前記アウト口の下方に、当該アウト口から回収された遊技球が流入するアウト球開口部が形成され、
前記アウト球払出通路部は前記アウト球開口部を介して前記アウト口と前記上皿とを連通することを特徴とする請求項１または２記載の遊技機。
【請求項４】
前記アウト球払出通路部には、遊技機の本体部に設けられた複数の嵌合突起に嵌め込まれる複数の陥没穴が形成されていることを特徴とする請求項１〜３の何れか一項に記載の遊技機。
【請求項５】
前記ファール球払出通路部には、前記打込通路と重なる切り欠きを備えた球受け部が形成されていることを特徴とする請求項１〜４の何れか一項に記載の遊技機。
【請求項６】
前記払出口は、前記上皿に形成された球通路の幅が遊技球２個の直径以上となる位置に設けられていることを特徴とする請求項１〜５の何れか一項に記載の遊技機。
【発明の詳細な説明】
【技術分野】
【０００１】
本発明は遊技機に関し、特に遊技球を払い出す方式の遊技機を遊技球を封入した方式の遊技機に転用する技術に関するものである。
【背景技術】
【０００２】
ホールに広く設置された一般的なパチンコ遊技機（遊技機）（以下、「払出式パチンコ遊技機」という。）では、遊技球が入賞した入賞口の種類に応じて所定数の遊技球が払い出され、入賞口に入賞しなかった遊技球はアウト口から回収されるようになっている。
【０００３】
一方、いわゆるゲームセンターなどでは、封入式パチンコ遊技機が設置されている。封入式パチンコ遊技機は払出式パチンコ遊技機を転用して作製されるもので、機内に所定数の遊技球が封入されて貯留されており、この封入された遊技球が循環して使用されるようになっている。
【０００４】
具体的には、機内に封入された遊技球は、遊技者のハンドル操作によって発射位置に送られる。発射位置に送られた遊技球は発射装置により弾発され、レールに案内されて弧を描くように打込通路を上昇し、遊技盤の遊技領域に送り込まれる。遊技領域に送り込まれた遊技球は、障害釘に弾かれながら盤面を流下する。そして、盤面を流下する最中に入賞口に入賞すると、払出数に相当するクレジットが遊技者に与えられる。一方、盤面を流下して最終的に入賞口に入賞しなかったならば、アウト口に流入する。
【０００５】
入賞口に入賞した遊技球およびアウト口に流入した遊技球は、最終的に回収されて上皿に集められ、その後再び発射位置に戻される。発射位置に戻された封入球は、再度、発射装置によって弾発される。
【０００６】
そして、封入式パチンコ遊技機では遊技球が循環する構造となっているため、遊技球を循環させるための球揚送機を備えた循環通路部材や球循環ユニットなどが設けられている。
【０００７】
なお、以上に説明した封入式パチンコ遊技機が記載された文献としては、たとえば特開２００２−６５９５５号公報や特開２０００−２１８０１９号公報がある。
【特許文献１】特開２００２−６５９５５号公報
【特許文献２】特開２０００−２１８０１９号公報
【発明の開示】
【発明が解決しようとする課題】
【０００８】
このように、従来の封入式パチンコ遊技機においては、球揚送機を用いて遊技球を循環させているので、払出式パチンコ遊技機の封入式パチンコ遊技機に転用しようとすると、製造コストが増大するという問題があった。
【０００９】
そこで、本発明は、払出式遊技機を安価に封入式遊技機に転用することができる技術を提供することを目的とする。
【課題を解決するための手段】
【００１０】
上記課題を解決するため、請求項１に記載の本発明の遊技機は、遊技領域に向かって遊技球を発射する発射装置と、前記遊技領域に設けられた入賞口に入賞しなかった遊技球を回収するアウト口と、払出口が開口して形成され、前記払出口から払い出された遊技球が貯留される上皿とを備えた遊技機であって、前記発射装置から前記遊技領域に至る打込通路と下皿とを連通し、前記発射装置により発射されたが前記遊技領域に進入できなかった遊技球を前記下皿に払い出すファール球払出通路部と、前記アウト口と前記上皿とを連通し、前記アウト口に回収された遊技球を前記上皿へ払い出すアウト球払出通路部とが、着脱可能且つ相互に交換可能に設けられている、ことを有することを特徴とする。
【００１１】
これにより、ファール球払出通路部とアウト球払出通路部とが選択的に装着でき、アウト球払出通路部を装着するだけで球揚送機を用いることなく遊技球を機内で循環させることができるので、通常の払出式の遊技機を安価に封入式の遊技機に転用することができ、封入式遊技機を安価に得ることが可能になる。
【００１２】
請求項２に記載の本発明は、請求項１記載の発明の構成に加えて、前記アウト球払出通路部は、さらに前記打込通路と前記上皿とを連通し、前記発射装置により発射されたが前記遊技領域に進入できなかった遊技球をも前記上皿へ払い出すことを特徴とする。
【００１３】
これにより、打込通路と上皿とを連通する別の通路を設ける必要がなくなる。
【００１４】
請求項３に記載の本発明は、請求項１または２記載の発明の構成に加えて、アウト口の下方に、当該アウト口から回収された遊技球が流入するアウト球開口部が形成され、アウト球払出通路部はアウト球開口部を介してアウト口と上皿とを連通することを特徴とする。
【００１５】
これにより、封入式遊技機と通常の払出式遊技機とを兼用する遊技機をより簡便に作製することが可能になる。
【００１６】
請求項４に記載の本発明は、請求項１〜３の何れか一項に記載の発明の構成に加えて、前記アウト球払出通路部には、遊技機の本体部に設けられた複数の嵌合突起に嵌め込まれる複数の陥没穴が形成されていることを特徴とする。
【００１７】
これにより、陥没穴を嵌合突起に嵌め込むことによりアウト球払出通路部を簡単に本体部に組み付けることができるとともに、遊技球が落下してもアウト球払出通路部が壊れることがない。
【００１８】
請求項５に記載の本発明は、請求項１〜４の何れか一項に記載の発明の構成に加えて、前記ファール球払出通路部には、前記打込通路と重なる切り欠きを備えた球受け部が形成されていることを特徴とする。
【００１９】
これにより、遊技領域に進入できなかった遊技球を、確実にファール球払出通路部に受け入れることができる。
【００２０】
請求項６に記載の本発明は、請求項１〜５の何れか一項に記載の発明の構成に加えて、払出口は、上皿に形成された球通路の幅が遊技球２個の直径以上となる位置に設けられていることを特徴とする。
【００２１】
これにより、球通路の幅が遊技球２個の直径よりも大きな位置に払出口から遊技球が払い出されるので、球通路における球詰まりの発生を防止することが可能になる。
【発明の効果】
【００２２】
本発明によれば以下の効果を奏することができる。
【００２３】
すなわち、本発明によれば、ファール球払出通路部とアウト球払出通路部とが選択的に装着でき、アウト球払出通路部を装着するだけで球揚送機を用いることなく遊技球を機内で循環させることができるので、通常の払出式の遊技機を安価に封入式の遊技機に転用することができ、封入式遊技機を安価に得ることが可能になる。
【発明を実施するための最良の形態】
【００２４】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２５】
図１は本発明の一実施の形態である遊技機を示す斜視図、図２は図１に示した遊技機の正面図、図３は図１の遊技機において遊技盤を取り除いた状態で示す斜視図、図４は払出式パチンコ遊技機としての図１の遊技機の内部構造を前面側から示す正面図、図５は図４の遊技機に取り付けられたファール球払出通路部を示す斜視図、図６は封入式パチンコ遊技機としての図１の遊技機の内部構造を前面側から示す正面図、図７は図６の遊技機に取り付けられたアウト球払出通路部を示す斜視図、図８は開口孔である第２の払出口に除電部材が取り付けられた遊技機を遊技盤を取り除いた状態で示す斜視図、図９は第２の上部払出口に取り付けられた除電部材を示す斜視図、図１０は図１の遊技機におけるガラス扉、上皿部および下皿部の内部構造を示す図、図１１は第２の上部払出口から上皿への遊技球の払出位置を示す説明図、図１２は上皿で遊技中が球詰まりした状態を示す図である。
【００２６】
図１および図２に示すように、パチンコ遊技機（遊技機）１は、遊技盤１０が装着される本体部２と、本体部２内で遊技盤１０の背後に設けられる表示装置としての液晶表示装置（ＬＣＤ）２０（図３）と、この本体部２に取り付けられるガラス扉３、上皿部４、下皿部５、カバー６およびハンドル７とを備えている。
【００２７】
ガラス扉３および上皿部４は一体化して形成されており、この一体化された開閉扉（開閉体）は、その一端が本体部２に回動可能に軸支され、他端が本体部２に係合するようになっている。ガラス扉３は、遊技盤１０を視認可能に被うものである。
【００２８】
上皿部４はガラス扉３の下側に位置し、払い出された遊技球および遊技領域に打ち込まれる遊技球が貯留される上皿（貯留皿）４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２９】
上皿部４の下側に位置する下皿部５は、本体部２に固定されており、払い出しにより上皿４ａからオーバーフローした遊技球が貯留される下皿５ａを有している。
【００３０】
下皿部５の右側に設けられたハンドル７は、レール１１を介して遊技盤１０の遊技領域１０ａへ遊技球を打ち込む際に回動操作されるものである。すなわち、ハンドル７を回動することにより発射装置２１（図４、図６）が動作し、これにより上皿４ａから発射装置２１に送り込まれた遊技球が遊技領域１０ａに向けて弾発的に発射される。発射された遊技球は緩やかに湾曲したレール１１に案内されて弧を描くように打込通路１０ｂを上昇し、遊技領域１０ａに送り込まれる。
【００３１】
なお、発射装置２１は、払出・発射制御回路の制御により槌を所定速度で揺動させ、発射位置（上皿４ａから発射装置２１へ通じる球通路の終端）にある遊技球を槌の先端で打って遊技領域１０ａへ打ち出している。ハンドル７の近傍には、遊技球の発射を停止させるストップボタン（図示せず）が設けられている。
【００３２】
ガラス扉３の上側に位置するカバー６は本体部２に固定されており、カバー６の左方部６ａおよび右方部６ｂは、本体部２に設けられる左右のスピーカ９ａ，９ｂ（図４、図６）にそれぞれ対応しており、スピーカ９ａ，９ｂからの音声が聞こえるような構造になっている。
【００３３】
液晶表示装置（ＬＣＤ）２０は、演出画像（例えば、遊技状態に対応したアニメーションやその他の報知情報など。）等を表示可能な表示領域を備えている。
【００３４】
遊技盤１０は、図２に示すように、レール１１に包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７などの遊技部材が配置されている。なお、一般入賞口１２、始動入賞口１４，１７および大入賞口１５では、遊技球が入賞すると、各入賞口１２，１４，１５，１７の種類に応じて設定された個数の遊技球が払い出される。また、アウト口１６は、遊技領域１０ａの流下して最終的に何れの入賞口１２，１４，１５，１７にも入賞しなかった遊技球が流入し、回収される。
【００３５】
遊技盤１０が透明である本実施の形態では、液晶表示装置２０の表示領域が遊技盤１０を通して視認可能に配置されている。また、液晶表示装置２０にかえて、例えばプラズマディスプレイ等の表示手段を用いることもできる。
【００３６】
遊技盤１０を除去した状態で示す図３において、上皿部４には、当該パチンコ遊技機１が払出式パチンコ遊技機として使用された場合に遊技球が払い出される第１の上部払出口（払出口）１８ａが向かって左端に、封入式パチンコ遊技機として使用された場合に遊技球が払い出される開口孔としての第２の上部払出口（払出口）１８ｂが略中央に、それぞれ上皿４ａの内壁面（すなわち上皿４ａを構成する部分であって、当該上皿４ａの底面から立ち上がった部分）における前方を向いた部分（換言すれば、遊技盤１０を向いて遊技中の遊技者から見える部分）において上皿４ａに向けて形成されている。
【００３７】
そして、払出式パチンコ遊技機として使用される場合には中央の第２の上部払出口１８ｂが閉鎖され、封入式パチンコ遊技機として使用される場合には左側の第１の上部払出口１８ａが閉鎖される。下皿５ａには、この下皿５ａに払い出される遊技球の払出口である下部払出口（払出口）１９が開口して形成されている。なお、第２の上部払出口（払出口）１８ｂの閉鎖構造については後述する。
【００３８】
このように本願のパチンコ遊技機においては第１の上部払出口１８ａと第２の上部払出口１８ｂとを使い分けることから、図４および図５に示すように、遊技球が第１の上部払出口１８ａから払い出される払出式パチンコ遊技機として使用される場合には、ファール球払出通路部３０が取り付けられる。また、図６および図７に示すように、遊技球が第２の上部払出口１８ｂから払い出される封入式パチンコ遊技機として使用される場合には、アウト球払出通路部４０が取り付けられる。
【００３９】
そして、これらファール球払出通路部３０とアウト球払出通路部４０とは何れも着脱可能になっており、相互に交換が可能となっている。
【００４０】
ここで、ファール球払出通路部３０が取り付けられた払出式パチンコ遊技機としての構造について説明する。
【００４１】
図４および図５において、ファール球払出通路部３０は発射装置２１から遊技領域１０ａに至る打込通路１０ｂと下皿５ａとを下部払出口１９を介して連通しており、発射装置２１により発射されたが遊技領域１０ａに進入できなかった遊技球を下皿５ａに払い出す。さらに、ファール球払出通路部３０は、上皿４ａと下皿５ａとを第１の上部払出口１８ａと下部払出口１９とを介して連通しており、払い出しにより上皿４ａからオーバーフローした遊技球を下皿５ａへと導く。
【００４２】
すなわち、図５に示すように、ファール球払出通路部３０は本体部２にねじ止めで固定されており、その上部には左右に広がる２カ所の球受け部３０ａ，３０ｂが形成されている。一方の球受け部３０ａは上皿４ａからオーバーフローした遊技球を受け取るように、他方の球受け部３０ｂは切り欠き３０ｂ−１が打込通路１０ｂと重なっており、遊技領域１０ａに向かって打ち出されたが当該領域に進入できなかった遊技球を受け取るようになっている。これら球受け部３０ａ，３０ｂの底面は相互に段差を持って形成されて中央に向かって緩やかに下方に傾斜しており、遊技球は自重で転動する。
【００４３】
球受け部３０ａ，３０ｂに連続するようにして、球受け部３０ａ，３０ｂに落下した遊技球が合流して流下する流下路３０ｃが形成されている。流下路３０ｃは斜め下方向に屈曲した形状を有しており、その下端は下皿５ａに開放している。したがって、上皿４ａからオーバーフローした遊技球は第１の上部払出口１８ａから球受け部３０ａに落下し、流下路３０ｃを通って下部払出口１９から下皿５ａに導かれる。
【００４４】
また、遊技領域１０ａに進入できなかった遊技球は打込通路１０ｂから球受け部３０ｂに落下し、同様に流下路３０ｃを通って下皿５ａに導かれる。そして、このように球受け部３０ｂを打込通路１０ｂと重なった位置に配置しているので、遊技領域１０ａに進入できなかった遊技球を、確実にファール球払出通路部３０に受け入れることができる。
【００４５】
なお、球受け部３０ｂの背後には、アウト口１６から第２の上部払出口１８ｂへ至る経路を閉鎖してアウト口１６に回収された遊技球の払い出しを阻止する閉鎖壁３０ｄが形成されている。
【００４６】
次に、アウト球払出通路部４０が取り付けられた封入式パチンコ遊技機としての構造について説明する。
【００４７】
図６および図７において、アウト球払出通路部４０はアウト口１６と上皿４ａとを第２の上部払出口１８ｂを介して連通するとともに、打込通路１０ｂと上皿４ａとを同じく第２の上部払出口１８ｂを介して連通しており、アウト口１６に回収された遊技球および発射装置２１により発射されたが遊技領域１０ａに進入できなかった遊技球を上皿４ａに払い出す。
【００４８】
図３に示すように、本実施の形態では、本体部２内にはアウト口１６から回収された遊技球が流入するアウト球開口部２２が、アウト口１６の下方に位置するようにして形成されている。そして、アウト球払出通路部４０は、このアウト球開口部２２を介してアウト口１６と上皿４ａとを連通している。なお、アウト球開口部２２を形成することなく、直接アウト口１６と上皿４ａとを連通してもよい。
【００４９】
また、図７に示すように、アウト球払出通路部４０は本体部２に設けられた図示しない２つのボス（嵌合突起）に対応した２つの陥没穴４０ｃが形成されており、陥没穴４０ｃをボスに嵌合することで本体部２に固定される。このように、陥没穴４０ｃをボスに嵌合してアウト球払出通路部４０を本体部２に固定するようにすれば、嵌め込みによりアウト球払出通路部４０を簡単に本体部２に組み付けることができるとともに、遊技球が落下してもアウト球払出通路部４０が壊れることがない。なお、陥没穴４０ｃおよびボスは複数形成されていればよく、２つに限定されるものではない。
【００５０】
アウト球払出通路部４０には打込通路１０ｂからの遊技球を受け取る球受け部４０ａが形成されている。球受け部４０ａの底面は緩やかに傾斜しており、傾斜下端に連続するようにして、前述したアウト口１６から回収されてアウト球開口部２２に到達した遊技球を受け入れる球受け部４０ｂが形成されている。この球受け部４０ｂはアウト球開口部２２側から上皿４ａ側に向かって緩やかに下方に傾斜している。
【００５１】
したがって、アウト球開口部２２から流入した遊技球は球受け部４０ｂを通って第２の上部払出口１８ｂから上皿４ａに導かれるとともに、打込通路１０ｂから流入した遊技球は球受け部４０ａを転動して球受け部４０ｂに至り、同じようにこの球受け部４０ｂを通って第２の上部払出口１８ｂから上皿４ａに導かれる。よって、アウト球払出通路部４０が使用される
【００５２】
本実施の形態では、アウト球払出通路部４０が取り付けられた封入式パチンコ遊技機として使用される場合には、遊技球はすべて第２の上部払出口１８ｂから上皿４ａに払い出されて機内を循環し、下皿５ａには遊技球の払出は行われないことから、下皿５ａはなくてもよい。また、封入式パチンコ遊技機として使用される場合には、払い出された遊技球を遊技者が取り出すことができないよう、払い出しの行われる上皿４ａには図示しないカバーが固定される。
【００５３】
以上に説明したパチンコ遊技機１によれば、遊技領域１０ａに進入できなかった遊技球を下皿５ａに払い出すファール球払出通路部３０と、アウト口１６に回収された遊技球および遊技領域１０ａに進入できなかった遊技球を上皿４ａに払い出すアウト球払出通路部４０とが選択的に装着できるようになっているので、ファール球払出通路部３０に換えてアウト球払出通路部４０を装着するだけで、球揚送機を用いることなく遊技球を機内で循環させることが可能になる。これにより、通常の払出式のパチンコ遊技機を安価に封入式のパチンコ遊技機に転用することができ、封入式パチンコ遊技機を安価に得ることができる。
【００５４】
特に、アウト球開口部２２を形成し、アウト球払出通路部４０を装着したときにアウト球開口部２２を介してアウト口１６と上皿４ａとを連通するようにすれば、封入式パチンコ遊技機と通常の払出式パチンコ遊技機とを兼用する遊技機をより簡便に作製することが可能になる。
【００５５】
次に、第２の上部払出口（払出口）１８ｂの閉鎖構造について説明する。
【００５６】
封入式パチンコ遊技機として使用する場合には、図８に示すように、開口孔である第２の上部払出口１８ｂには、この第２の上部払出口１８ｂを閉塞して金属製の除電部材５０を取り付けることができる。なお、除電部材５０は導電性を有していればよく、金属製である必要はない。
【００５７】
図９に示すように、除電部材５０は、第２の上部払出口１８ｂに嵌り込んで上皿４ａの前方を向いた内壁面と同一面を形成する箱形の突出部５０ａと、この突出部５０ａの両側に形成された２カ所の基部５０ｂとからなる。基部５０ｂは、突出部５０ａの先端から略９０°山形に折れ曲がり、さらに略９０°谷形に折れ曲がって連続するように形成されており、雄ねじやビスなどの固定部材が貫通する貫通孔５０ｃを有している。
【００５８】
図１０に示すように、除電部材５０は上皿部４の裏面側から開口孔である第２の上部払出口１８ｂに嵌め込まれてこの第２の上部払出口１８ｂを閉塞しており、貫通孔５０ｃを貫通した固定部材により上皿部４に固定されている。
【００５９】
また、同図に示すように、上皿部４の裏面側には、第１の上部払出口１８ａおよび第２の上部払出口１８ｂに対応した部分が打ち抜かれた形状の金属板５１が固定されている。この金属板５１は電気的に接地されており、前述した除電部材５０はこの金属板５１と接した状態で固定されている。したがって、除電部材５０もまた、接地電位となっている。
【００６０】
このように、本実施の形態のパチンコ遊技機１は、ホールに広く設置された遊技球を払い出す方式のパチンコ遊技機（払出式パチンコ遊技機）と、機内に封入された遊技球が循環して使用される方式のパチンコ遊技機（封入式パチンコ遊技機）との兼用型となっている。
【００６１】
そして、封入式パチンコ遊技機として使用される場合には、第１の上部払出口１８ａは閉鎖されて第２の上部払出口１８ｂから遊技球が払い出される。また、払出式パチンコ遊技機として使用される場合には、第１の上部払出口１８ａから遊技球が払い出されて第２の上部払出口１８ｂは不要になることから、前述のように、開口孔としての第２の上部払出口１８ｂに除電部材５０を取り付けるようにしたものである。
【００６２】
但し、本発明の遊技機は、このような兼用型の遊技機に限定されるものではなく、専用の払出式パチンコ遊技機に第２の上部払出口１８ｂを形成し、ここに除電部材５０を取り付けるようにしてもよいことは勿論である。
【００６３】
このようなパチンコ遊技機１によれば、上皿４ａに向けて形成された開口孔である第２の上部払出口１８ｂを閉塞するようにして除電部材５０を配置したので、極めて簡単な取付構造となり、除電部材５０の組み付け作業を容易に行うことが可能になる。
【００６４】
なお、第２の上部払出口１８ｂは上皿４ａに向けて形成されていれば足り、必ずしも本実施の形態のように上皿４ａの前方を向いた内壁面に形成されていなくてもよい。但し、上皿４ａの前方を向いた内壁面に形成されていれば、上皿４ａに大量の遊技球が貯留されて上皿４ａから浮き上がった遊技球の静電気も除去されるので、静電気の除去をより効果的に行うことができる。
【００６５】
また、除電部材５０は、必ずしも上皿４ａの前方を向いた内壁面と同一面を形成するようなっていなくてもよいが、同一面となるようにすれば、上皿４ａから順次発射位置に案内されていく遊技球の流れを阻害することがなく、球詰まり発生の要因を未然に除去することができる。
【００６６】
ここで、図１１に示すように、上皿４ａには球通路４ａ−１が形成されており、払い出された遊技球は球通路４ａ−１に一時的に貯留される。
【００６７】
球通路４ａ-１は遊技球の発射位置に連通しており、遊技球を転動させながら発射位置に送り込むために、発射位置に向かって下方に傾斜して形成されている。さらに、球通路４ａ-１は、発射位置の反対側（図示する場合には向かって左側）が手前に膨らむ形状で幅広になっており、そこから発射位置に向かって徐々に狭くなり、最終的には遊技球１個分の幅になるように形成されている。これにより、発射位置の方向に転動する遊技球は、徐々に狭くなってゆく球通路４ａ-１の幅に規制されて一列に整列され、１個ずつ発射位置に案内される。すなわち、球通路４ａ-１は、幅広の部分から徐々に狭くなり、最終的には遊技球１個分の幅になるように形成されることで、その全長を使って遊技球を整列している。
【００６８】
そして、前述した第２の上部払出口１８ｂは球通路４ａ-１において幅が徐々に細くなっている位置に形成されている。
【００６９】
パチンコ遊技機１を封入式として使用した場合には、第２の上部払出口１８ｂから遊技球が払い出されることになる。そして、第２の上部払出口１８ｂは上皿４ａの中央に形成されていることから、第２の上部払出口１８ｂから上皿４ａの球通路４ａ-１に遊技球が払い出されると、最終的に一列に整列される間での距離（換言すれば、遊技球１個分の幅に至るまでの距離）が短くなるために、整列に失敗して図１２に示すような球詰まり（ブリッジ）が発生し、遊技球が発射位置に送られなくなるおそれがある。
【００７０】
そこで、本実施の形態では、第２の上部払出口１８ｂを、球通路４ａ−１の幅が遊技球２個の直径となる位置、あるいはこれより広い幅となる位置に設けるようにして、球通路４ａ−１における球詰まりの発生を防止している。
【産業上の利用可能性】
【００７１】
以上の説明においては、本発明をパチンコ遊技機を適用した場合が説明されているが、本発明はパチンコ遊技機に限定されるものではなく、たとえばスマートボールや雀球など遊技媒体として遊技球が用いられる様々な遊技機に適用することが可能である。
【図面の簡単な説明】
【００７２】
【図１】本発明の一実施の形態である遊技機を示す斜視図である。
【図２】図１に示した遊技機の正面図である。
【図３】図１の遊技機において遊技盤を取り除いた状態で示す斜視図である。
【図４】払出式パチンコ遊技機としての図１の遊技機の内部構造を前面側から示す正面図である。
【図５】図４の遊技機に取り付けられたファール球払出通路部を示す斜視図である。
【図６】封入式パチンコ遊技機としての図１の遊技機の内部構造を前面側から示す正面図である。
【図７】図６の遊技機に取り付けられたアウト球払出通路部を示す斜視図である。
【図８】開口孔である第２の払出口に除電部材が取り付けられた遊技機を遊技盤を取り除いた状態で示す斜視図である。
【図９】第２の上部払出口に取り付けられた除電部材を示す斜視図である。
【図１０】図１の遊技機におけるガラス扉、上皿部および下皿部の内部構造を示す図である。
【図１１】第２の上部払出口から上皿への遊技球の払出位置を示す説明図である。
【図１２】上皿で遊技中が球詰まりした状態を示す図である。
【符号の説明】
【００７３】
１  パチンコ遊技機（遊技機）
２  本体部
３  ガラス扉
４  上皿部
４ａ  上皿
４ａ−１  球通路
５  下皿部
５ａ  下皿
６  カバー
６ａ  左方部
６ｂ  右方部
７  ハンドル
８  シャッタレバー
９ａ，９ｂ  スピーカ
１０  遊技盤
１０ａ  遊技領域
１０ｂ  打込通路
１１  レール
１２  一般入賞口
１３  通過ゲート
１４  始動入賞口
１５  大入賞口
１６  アウト口
１７  始動入賞口
１８ａ  第１の上部払出口
１８ｂ  第２の上部払出口
１９  下部払出口
２０  液晶表示装置
２１  発射装置
２２  アウト球開口部
３０  ファール球払出通路部
３０ａ，３０ｂ  球受け部
３０ｂ−１  切り欠き
３０ｃ  流下路
３０ｄ  閉鎖壁
４０  アウト球払出通路部
４０ａ，４０ｂ  球受け部
４０ｃ  陥没穴
５０  除電部材
５０ａ  突出部
５０ｂ  基部
５０ｃ  貫通孔
５１  金属板
【図１】
2006230921.tif 000003
【図２】
2006230921.tif 000004
【図３】
2006230921.tif 000005
【図４】
2006230921.tif 000006
【図５】
2006230921.tif 000007
【図６】
2006230921.tif 000008
【図７】
2006230921.tif 000009
【図８】
2006230921.tif 000010
【図９】
2006230921.tif 000011
【図１０】
2006230921.tif 000012
【図１１】
2006230921.tif 000013
【図１２】
2006230921.tif 000014